【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
二重化された伝送路によって直列に接続された複数の表示装置と、
前記二重化された伝送路のうち第一の伝送路を介して、直列に接続された複数の前記表示装置の一方側から表示データの出力を行う第一の出力部と、
前記二重化された伝送路のうち第二の伝送路を介して、直列に接続された複数の前記表示装置の他方側から表示データの出力を行う第二の出力部と、
を備える多重化表示システム。
【請求項２】
直列に接続された複数の前記表示装置の前記他方側に接続され、前記第一の出力部から出力された表示データを前記第一の伝送路を介して受信して、当該第一の出力部の監視結果を前記第二の出力部へ出力する第一の状態監視部と、
直列に接続された複数の前記表示装置の前記一方側に接続され、前記第二の出力部から出力された表示データを前記第二の伝送路を介して受信して、当該第二の出力部の監視結果を前記第二の出力部へ出力する第二の状態監視部と、
を備える請求項１に記載の多重化表示システム。
【請求項３】
前記第一の出力部、及び、前記第二の出力部から出力される表示データのいずれかには、優先度を示す情報が付されており、
前記表示装置は、前記第一の伝送路、及び、前記第二の伝送路それぞれから受信した表示データのうち、前記優先度を示す情報に基づいていずれかの表示データを選択して画面に出力する
請求項２に記載の多重化表示システム。
【請求項４】
前記第一の出力部、または、前記第二の出力部は、前記第一の状態監視部、または、前記第二の状態監視部から異常を示す前記監視結果を受信すると、表示データに付す前記優先度を示す情報を高い優先度に変更して出力する
請求項３に記載の多重化表示システム。
【請求項５】
前記表示装置は、前記第一の伝送路、及び、前記第二の伝送路それぞれから受信した表示データのうち先着の表示データを選択して画面に出力する
請求項１に記載の多重化表示システム。
【請求項６】
さらに、
前記第一の出力部から出力された表示データを受信して、当該第一の出力部の監視結果を当該第一の出力部へ出力する第一の状態監視部と、
前記第二の出力部から出力された表示データを受信して、当該第二の出力部の監視結果を当該第二の出力部へ出力する第一の状態監視部と、を備え、
前記第一の出力部、または、前記第二の出力部は、前記第一の状態監視部、または、前記第二の状態監視部から異常を示す前記監視結果を受信すると、表示データの出力を停止する
請求項５に記載の多重化表示システム。
【請求項７】
前記第一の出力部は複数の車両からなる列車の先頭車両に、前記第二の出力部は前記列車の後尾車両にそれぞれ設けられ、
前記第一の出力部、及び、前記第二の出力部は、各車両に設けられた前記表示装置に前記第一の伝送路、または、前記第二の伝送路を介して表示データを送信する
請求項１に記載の多重化表示システム。
【手続補正２】
【補正対象書類名】明細書
【補正対象項目名】０００１
【補正方法】変更
【補正の内容】
【０００１】
本発明は、複数の表示装置に情報を表示する多重化表示システムに関する。
【手続補正３】
【補正対象書類名】明細書
【補正対象項目名】０００５
【補正方法】変更
【補正の内容】
【０００５】
複数の表示装置を有するシステムは主に公共の施設で広く使われており、システムの異常により表示装置から表示が正しくされない場合、異常表示が多くの人の目に触れることになる。特に、電車車両内の車内表示システムにおいては、誤案内を引き起こした場合に乗客に混乱を招くなど影響が非常に大きい。従来の車内表示システムにおいては、一つの表示部につながる出力部は一つである構成となっている。そのため、表示装置の出力部が故障した場合もしくは信号の伝送路に異常が発生した場合、表示装置の出力部から正しく表示が行われない。また、検査員、保守員が画面表示を見ない限り表示装置の出力部の故障の検知を行うことは出来ない。
【手続補正４】
【補正対象書類名】明細書
【補正対象項目名】０００８
【補正方法】変更
【補正の内容】
【０００８】
上記課題を解決するために、代表的な本発明の多重化表示システムの一つは、二重化された伝送路によって直列に接続された複数の表示装置と、二重化された伝送路のうち第一の伝送路を介して、直列に接続された複数の表示装置の一方側から表示データの出力を行う第一の出力部と、二重化された伝送路のうち第二の伝送路を介して、直列に接続された複数の表示装置の他方側から表示データの出力を行う第二の出力部と、を備えることを特徴とする。
【手続補正５】
【補正対象書類名】明細書
【補正対象項目名】００１０
【補正方法】変更
【補正の内容】
【００１０】
【図１】本発明の第１の実施形態例（実施例１）における多重化表示システムの構成例を示す図である。
【図２】本発明の第１の実施形態例の多重化表示システムにおける出力部の構成例を示す図である。
【図３】本発明の第１の実施形態例の多重化表示システムにおける表示部の構成例を示す図である。
【図４】本発明の第１の実施形態例の多重化表示システムにおける状態監視部の構成例を示す図である。
【図５】本発明の第１の実施形態例の多重化表示システムを車両内表示システムに適応した例である。
【図６】本発明の第１の実施形態例の多重化表示システムにおける処理の流れを示すフローチャートである。
【図７】本発明の第１の実施形態例の多重化表示システムにおける故障モード別のシステム動作を示すテーブルである。
【図８】本発明の第１の実施形態例の多重化表示システムの出力部において、優先度タグを付与する方式を説明するための図である。
【図９】本発明の第２の実施形態例（実施例２）の多重化表示システムにおける出力部の構成例を示す図である。
【図１０】本発明の第２の実施形態例の多重化表示システムにおける状態監視部の構成例を示す図である。
【手続補正６】
【補正対象書類名】明細書
【補正対象項目名】００１４
【補正方法】変更
【補正の内容】
【００１４】
図３は、図１の構成における表示部２００の構成例を表している。表示部２００には、各出力部１００から伝送路４１０、４２０を通り送られてきた映像信号を自身と次の表示部２００へ、両端に位置する表示部２００は状態監視部３００へと分配する分配部２４０と、分配部２４０で分配された信号を受信する映像受信部２１０と、各映像受信部２１０で受け取った複数の映像信号のうち画面に表示する映像信号を判定、選択し映像出力部２３０に伝送する判定部２２０と、判定部２２０より送られた映像信号を画面に出力する映像表示部２３０がある。
【手続補正７】
【補正対象書類名】明細書
【補正対象項目名】００１５
【補正方法】変更
【補正の内容】
【００１５】
図４は、図１の構成における状態監視部３００の構成例を表している。状態監視部３００には、配信される元データを一時的に保持するバッファ部３４０と、他端の出力部１００から各表示部２００を介して送られた映像信号を受信する出力受信部３３０と、バッファ部３４０と出力受信部３３０のデータを比較し出力受信部３３０で受信した映像信号が正しいかどうかを判定する比較部３２０と、比較部３２０での比較結果を出力部１００のエラー受信部１１０へ出力するエラー出力部３１０がある。エラー出力部３１０は外部装置６００にもエラー情報を出力することが出来、保守員がシステムに異常が起きていることを知ることが出来る。
【手続補正８】
【補正対象書類名】明細書
【補正対象項目名】００２１
【補正方法】変更
【補正の内容】
【００２１】
分配部２４０は、受け取った映像信号を次の表示部２００と自身の表示部２００の映像受信部２１０へと分配する。もう一方の映像受信部２１０にも同様に別の出力部１００からの映像信号が伝送されている。判定部２２０は、二つの映像受信部２１０で受信した映像信号の優先度タグを比較し、より高い優先度タグのついた映像信号を映像表示部２３０へと送信する（図６のS１１４、S１１６）。映像表示部２３０は、送られてきた映像信号によってディスプレイに映像を表示する（図６のS１１６）。ここで、優先度が同じ場合、両系故障であると考えられるため出力をしない（図６のS１１３）。
【手続補正９】
【補正対象書類名】明細書
【補正対象項目名】００２２
【補正方法】変更
【補正の内容】
【００２２】
分配部２４０によって次の表示部２００へと分配された映像信号は前述の処理と同様に、下流の表示部２００へと順々に伝送される。直列に接続された表示部２００の最後まで伝送された映像信号は、次に状態監視部３００の出力受信部３３０へと伝送される。
【手続補正１０】
【補正対象書類名】明細書
【補正対象項目名】００２３
【補正方法】変更
【補正の内容】
【００２３】
状態監視部３００の出力受信部３３０は表示部２００から伝送された映像信号を受信する（図６のS１１１）。バッファ部３４０は、配信データを映像信号として一時的に保存する記憶装置である。出力受信部３３０に送られた映像信号と、バッファ部３４０に一時的に保存された映像信号は比較部３２０で比較され、異常の判定を行う（図６のS１１５）。比較部３２０は、それぞれの映像信号のアドレスを基準とし同じ箇所の信号を比較する。出力受信部３３０の受信した映像信号が正常であると比較部３２０が診断した場合、エラー出力部３１０は比較結果を受け取り、出力部１００の受信部１１０にエラーが発生していないことを示す信号を送信する（図６のS１１８）。
【手続補正１１】
【補正対象書類名】明細書
【補正対象項目名】００２４
【補正方法】変更
【補正の内容】
【００２４】
出力部１００のエラー受信部１１０は、エラー発生有無を受信し、出力制御部１２０に送信する。出力制御部１２０は、エラー受信部１１０からエラーが発生していないという信号を受けとった場合、一つ前の映像信号に対する処理と同じ処理を継続して行う。
【手続補正１２】
【補正対象書類名】明細書
【補正対象項目名】００２６
【補正方法】変更
【補正の内容】
【００２６】
片系の出力部１００からの映像信号が正しく出ていない時、故障した出力部１００からの映像信号を受信する状態監視部３００の比較部３２０で、バッファ部３４０と出力受信部３３０が受信した映像信号との比較の結果、エラーを検出する。検出したエラー情報はエラー出力部３１０に送信され、エラー出力部３１０は、出力部１００のエラー受信部１１０にエラー情報を送信する。エラー出力部３１０は、必要に応じて外部装置６００にエラー情報を出力することも出来る。エラー受信部１１０はエラー情報を受信すると、出力制御部１２０に対し、自系統が優先系統かどうかに関わらず、映像信号に他系の出力信号に付与された優先度タグより優先度の高い優先度タグを付与するよう指示を送る。出力制御部１２０は、映像信号により優先度の高い優先度タグを付与し、映像信号出力部１３０は、優先度タグが付与された映像信号を表示部２００に送信する。表示部２００は、判定部２２０によって、受信した映像信号のうち高い優先度タグが付与された信号を採用し映像表示部２３０に送信し、映像表示部２３０は受信した映像信号を用いて画面に表示を行う。故障した出力部１００からの映像信号より正常な出力部１００からの映像信号の方が高い優先度タグが付与されているため、全表示部２００において画面に正しい映像が表示される。
【手続補正１３】
【補正対象書類名】明細書
【補正対象項目名】００３０
【補正方法】変更
【補正の内容】
【００３０】
片系の伝送路切断の場合、正常な系統の状態監視部３００の比較部３２０では、片系の出力部故障と同様にエラーを検知する。状態監視部３００からのエラー信号を受けて、出力制御部１２０が正常な伝送路経由で受信した映像信号に対して優先度タグを付与する。表示部２００は優先度タグが付与された映像信号を表示することで、全表示部２００の表示を正しく表示させることが出来る。
【手続補正１４】
【補正対象書類名】明細書
【補正対象項目名】００３２
【補正方法】変更
【補正の内容】
【００３２】
＜状態監視部の故障時の処理＞
状態監視部３００の故障時の障害処理について説明する。状態監視部３００の故障時においては、その故障によってエラー誤検出もしくは、正常時にエラー発生していないことを示す信号が出なかった場合であっても、出力制御部１２０では、何らかの優先度タグを付与しているため、表示部２００における表示に影響は及ぼさない。
【手続補正１５】
【補正対象書類名】明細書
【補正対象項目名】００３４
【補正方法】変更
【補正の内容】
【００３４】
図７に示すように、出力部１００の片系故障（例えば２系故障）の場合には、２系の状態監視部３００は１系の出力部１００に対してエラー信号を出力し、１系の出力部１００では、エラー信号により優先度を上げて出力を行い、結果、表示部２００では１系の映像信号が表示される。
【手続補正１６】
【補正対象書類名】明細書
【補正対象項目名】００３５
【補正方法】変更
【補正の内容】
【００３５】
出力部１００の両系故障の場合には、１系及び２系の状態監視部３００はそれぞれ２系，１系の出力部１００に対してエラー信号を出力し、１系及び２系の出力部１００では、エラー信号により優先度を上げて出力を行い、結果、表示部２００では、両方の優先度同じであり、双方の優先度が高いため両系故障と判断し映像出力を行わない。  伝送路４１０の片系故障（例えば２系故障）の場合には、２系の状態監視部３００は１系の出力部１００に対してエラー信号を出力し、１系の出力部１００では、エラー信号により優先度を上げて出力を行い、結果、表示部２００では１系の映像信号が表示される。
【手続補正１７】
【補正対象書類名】明細書
【補正対象項目名】００３８
【補正方法】変更
【補正の内容】
【００３８】
以上のように本実施例では、出力部１００を多重化し、出力状態の相互監視を行うことにより、１系の出力部１００ないしは伝送路４１０の障害を検知し、障害発生時には各表示部２００が正常な方の映像信号を用いて表示を行うことで、出力部１００ないしは伝送路４１０の故障が表示部の表示異常を引き起こさない多重化表示システムを提供することができる。
【手続補正１８】
【補正対象書類名】明細書
【補正対象項目名】００３９
【補正方法】変更
【補正の内容】
【００３９】
[実施例２]
実施例１において、判定部２２０における判定に優先度タグを用いず、表示部２００に先着した映像信号を採用し、先着した映像信号を映像表示部２３０に伝送し表示を行う。このとき、出力部１００の構成は図９、状態監視部３００の構成は図１０のようになる。本方式では、比較部３２０において、自系統の映像信号出力部１３０からの出力信号とバッファ部３４０の信号の比較を行う。比較の結果、自系統の映像信号がバッファ部３４０の映像信号と一致した場合、比較部３２０はエラー出力部３１０に対してエラー信号を出す指示を行わない。比較の結果、自系統の映像信号がバッファ部３４０と一致しない場合、誤っていると判断し、出力部１００に対しエラー信号を送信する。
また、エラー受信部１１０は状態監視部３００からのエラー信号に加え中央装置７００から他系のエラー出力部３１０から出力されたエラー情報を受信する。出力制御部１２０は、エラー受信部１１０から自系と他系のエラー情報を取得し、自系が異常でない場合は出力を継続し、他系が正常かつ自系が異常である場合は、出力を停止する。両系が異常と判断される場合は、両系の伝送路切断の可能性があるため、出力を継続する。本方式では、判定部２２０における処理が先着信号による処理のみであるため処理が容易である。本発明が適用される表示システムにおいては、表示部２００の数が他の装置に比べ多いため、本方式による表示部２００の機能削減はシステム導入コストの面で効果的である。
【手続補正１９】
【補正対象書類名】明細書
【補正対象項目名】００４０
【補正方法】変更
【補正の内容】
【００４０】
[実施例３]
実施例１の出力部１００における優先度タグの付与と表示部２００における先着データの採用を両方用いることが出来る。本方式においては、状態監視部３００で両系の出力信号および配信元データから生成された映像信号の３つ映像信号の比較を行う。状態監視部３００において検出できるエラーは、「両系異常」「片系異常」「両系正常」の三形態となる。
【手続補正２０】
【補正対象書類名】明細書
【補正対象項目名】００４６
【補正方法】変更
【補正の内容】
【００４６】
以上の実施例のように、本発明では出力部１００を多重化し、出力状態の相互監視を行うことにより、１系の出力部１００ないしは伝送路４１０の障害を検知し、障害発生時には各表示部２００が正常な方の映像信号を用いて表示を行うことで、出力部１００ないしは伝送路４１０の故障が表示部２００の表示異常を引き起こさない多重化表示システムを提供することができる。
【手続補正２１】
【補正対象書類名】明細書
【補正対象項目名】００４７
【補正方法】変更
【補正の内容】
【００４７】
すなわち、本発明では、各出力部１００からの映像信号を状態監視部３００によって監視するため故障検知が可能であり、出力部１００および伝送路４１０（または４２０）を多重化しているため、片系の出力部１００の異常時、伝送路４１０（または４２０）の異常時においても表示部２００からの表示は異常とならずシステム内部の異常状態を外部の表示から利用者に認識されることなく動作を継続できる表示システムを提供することが出来る。